(57)【要約】【課題】研磨対象物である水晶片の品質を確保しながら生産性を向上させることができる研磨装置を提供する。【解決手段】センターギアと下定盤とインターナルギアとラッピングキャリアと上定盤とを備えた両面研磨装置であって、下定盤が下定盤の外周面の中心を回転軸に回転可能でかつ上定盤が上定盤の外周面の中心を回転軸に回転可能となっており、上定盤側を向く下定盤の面に第一の環状溝及び第一の直線溝が形成され、上定盤側を向く前下定盤の面を見た場合、第一の環状溝の縁部を外周とする面の下定盤の外周面に近い面と第一の環状溝の縁部を外周とする面の下定盤の外周面の中心に近い面とが同心円となり、第一の環状溝の縁部を外周とする面の下定盤の外周面に近い面の中心から放射状に第一の直線溝が形成され、第一の環状溝の縁部を外周とする面の下定盤の外周面に近い面の中心が下定盤の外周面の中心と異なる位置に位置していることを特徴とする。【選択図】      図２
2012183618.tif 000002
【特許請求の範囲】
【請求項１】
外周面の中心を回転軸として回転可能に中央に設けられ、外周面にセンターギア歯が形成されているセンターギアと、
前記センターギアの先端付近の周囲付近に外周面の中心を回転軸として回転可能に設けられ、前記センターギアの外径より大きい内径を有するようにして、中央部分に形成されたセンターギア挿通貫通孔に前記センターギアの先端部分が挿通されつつ、外周面の中心が前記センターギアの回転軸上に位置するように配置されている下定盤と、
前記下定盤の周囲付近に外周面の中心を回転軸として回転可能に設けられ、前記下定盤の外径より大きい内径を有する下定盤挿通用貫通孔によって形成された内周面に、インターナルギア歯が形成されているインターナルギアと、
前記センターギアの外周面から前記インターナルギアの内周面までの長さに相当する外径を有し、かつ所望の内径を有する研磨対象物挿入用貫通孔が形成されると共に、研磨対象物の厚さより薄い厚さを有するように形成され、外周面に形成されたラッピングキャリア歯によって、前記センターギアと歯合されると共に前記インターナルギアと歯合されるようにして、前記下定盤上に配置されるラッピングキャリアと、
外周面の中心を回転軸として回転可能に設けられ、外周面の中心が前記サンギアの回転軸上に位置しつつ前記ラッピングキャリアが配置される前記下定盤の面と対向するように配置される上定盤と、
を備え、
前記上定盤側を向く前記下定盤の面に第一の環状溝及び第一の直線溝が形成され、
前記上定盤側を向く前記下定盤の面を見た場合、
前記第一の環状溝の縁部を外周とする面であって前記下定盤の外周面に近い面と前記第一の環状溝の縁部を外周とする面であって前記下定盤の外周面の中心に近い面とが同心円となり、
前記第一の環状溝の縁部を外周とする面であって前記下定盤の外周面に近い面の中心から放射状に前記第一の直線溝が形成され、
前記第一の環状溝の縁部を外周とする面であって前記下定盤の外周面に近い面の中心が前記下定盤の外周面の中心と異なる位置に位置している
ことを特徴とする研磨装置。
【請求項２】
前記請求項１の研磨装置であって、
前記下定盤側を向く前記上定盤の面に第二の環状溝及び第二の直線溝が形成され、
前記下定盤側を向く前記上定盤の面を見た場合、
前記第二の環状溝の縁部を外周とする面であって前記上定盤の外周面に近い面と前記第二の環状溝の縁部を外周とする面であって前記上定盤の外周面の中心に近い面とが同心円となり、
前記第二の環状溝の縁部を外周とする面であって前記上定盤の外周面に近い面の中心から放射状に前記第二の直線溝が形成され、
前記第二の環状溝の縁部を外周とする面であって前記上定盤の外周面に近い面の中心が全上定盤の外周面の中心と異なる位置となっている、
ことを特徴とする研磨装置。
【発明の詳細な説明】
【技術分野】
【０００１】
本発明は、研磨対象物である水晶片を研磨する研磨装置に関する。
【背景技術】
【０００２】
水晶振動子の製造工程には、切断されることによって得られた水晶片を研磨し、水晶片の厚さを薄くすることにより、水晶片の厚さを調整する研磨工程がある。この研磨工程を実行する際には、水晶片の両主面を研磨するための研磨装置が使用される。
【０００３】
かかる研磨装置は、研磨方式として、例えば、遊離砥粒による研磨方式を採用する。
この遊離砥粒による研磨方式では、例えば、図４に示すように、回転する下定盤２２０に配置された研磨対象物Ｓである水晶片の両主面付近に遊離砥粒及び水を含む混合液であるスラリーを供給しながら、回転する上定盤２５０を下定盤２２０方向に移動させることにより、研磨対象物Ｓである水晶片の両主面を研磨する。
【０００４】
このような研磨装置２００は、上定盤２５０側を向く下定盤２２０の面を見た場合、上定盤２５０側を向く下定盤２２０の面が円形形状となっており、上定盤２５０側を向く下定盤２２０の面の縁部の中心、つまり、下定盤２２０の外周面の中心Ｃ２２（図５（ａ）参照）を回転軸に面内回転する構成となっている。
また、このような研磨装置２００は、下定盤２２０側を向く上定盤２５０の面を見た場合、下定盤２２０側を向く上定盤２５０の面が円形形状となっており、下定盤２２０側を向く上定盤２５０の面の縁部の中心、つまり、上定盤２５０の外周面の中心Ｃ２５（図５（ｂ）参照）を回転軸に面内回転する構成となっている。
また、このような研磨装置２００は、上定盤２５０の回転軸と下定盤２２０の回転軸とが一致するように上定盤２５０と下定盤２２０とが設けられている（例えば、特許文献１参照）。
【０００５】
前述した研磨装置２００は、例えば、図５（ａ）に示すように、上定盤２５０側を向く下定盤２２０の面に格子状の溝２２２が形成され、図５（ｂ）に示すように、下定盤２２０側を向く上定盤２５０の面に格子状の溝２５２が形成されている。
このとき、溝２２２が形成されていない上定盤２５０側を向く下定盤２２０の面の面積と溝２５２が形成されていない下定盤２２０側を向く上定盤２５０の面の面積とを比較した場合、溝２２２が形成されていない上定盤２５０側を向く下定盤２２０の面の面積の方が大きくなっている。
このため、研磨方式を用いて研磨し研磨装置２００から研磨後の研磨対象物Ｓを回収するとき、研磨後の研磨対象物Ｓと下定盤２２０との表面張力に対して研磨後の研磨対象物Ｓと上定盤２５０との表面張力が弱くなり、上定盤２５０側を向く下定盤２２０の面で研磨後の研磨対象物Ｓを回収することができる（例えば、特許文献２参照）。
【０００６】
研磨装置２００の一例として、下定盤２２０に格子状の溝２２２が形成されつつ上定盤２５０に格子状の溝２５２が形成されている場合について説明したが、他の一例として、図６（ａ）及び図６（ｂ）に示すように、下定盤３２０に直線溝３２３と環状溝３２２が形成されつつ上定盤３５０に直線溝３５３と環状溝３５２が形成されている場合がある。
【０００７】
このような研磨装置では、上定盤３５０側を向く下定盤３２０の面を見た場合、図６（ａ）に示すように、上定盤３５０側を向く下定盤３２０の面に環状溝３２２と直線溝が形成されている。
【０００８】
ここで、下定盤３２０は、上定盤３５０側を向く下定盤３２０の面を見た場合、図６（ａ）に示すように、下定盤３２０の外周面の中心Ｃ３２を中心とした円形形状となっている。
また、上定盤３５０は、下定盤３２０側を向く上定盤３５０の面を見た場合、図６（ｂ）に示すように、上定盤３５０の外周面の中心Ｃ３５を中心とした円形形状となっている。
【０００９】
ここで、下定盤３２０に形成されている環状溝を第一の環状溝３２２とし、下定盤３２０に形成されている直線溝を第一の直線溝３２３とする。
【００１０】
また、このような研磨装置では、下定盤３２０側を向く上定盤３５０の面を見た場合、図６（ｂ）に示すように、下定盤３２０側を向く上定盤３５０の面に環状溝と直線溝が形成されている。
【００１１】
ここで、上定盤３５０に形成されている環状溝を第二の環状溝３５２とし、上定盤３５０に形成されている直線溝を第二の直線溝３５３とする。
【００１２】
第一の環状溝３２２は、例えば、円形形状の環状に複数、形成されている。
これらの第一の環状溝３２２は、下定盤３２０の外周面の中心Ｃ３２に対して同心円となるように半径を異にして形成される。
【００１３】
第一の直線溝３２３は、例えば、図６（ａ）に示すように、上定盤３５０側を向く下定盤３２０の面を見た場合、下定盤３２０の外周面の中心Ｃ３２から下定盤３２０の外周面に向かう方向に、放射状に形成されている。
【００１４】
第二の環状溝３５２は、例えば、円形形状の環状に複数、形成されている。
これらの第二の環状溝３５２は、上定盤３５０の外周面の中心Ｃ３５に対して同心円となるように半径を異にして形成される。
また、複数形成されている第二の環状溝３５２は、例えば、所定の第二の環状溝３５２が第一の環状溝３２２と対向する位置に形成されており、所定の他の第二の環状溝３５２が第一の環状溝３２２と対向しない位置に形成されている。このとき、例えば、所定の他の第二の環状溝３５２が所定の第二の環状溝３５２の間に形成されている。
【００１５】
このような研磨装置では、例えば、第一の直線溝３２３と第二の直線溝３５３との数を比較すると第一の直線溝３２３の方が少なく、また、第二の環状溝３２２と第二の環状溝３５２との数を比較すると第一の環状溝３２２の方が少ない。
つまり、第一の環状溝３２２及び第一の直線溝３２３が形成されていない上定盤側３５０側を向く下定盤３２０の面の面積と第二の環状溝３５２及び第二の直線溝３５３が形成されていない下定盤側３２０側を向く上定盤３５０の面の面積とを比較した場合、第一の環状溝３２２及び第一の直線溝３２３が形成されていない上定盤側３５０側を向く下定盤３２０の面の面積の方が大きくなっている。
このため、研磨方式を用いて研磨し研磨装置から研磨後の研磨対象物Ｓを回収するとき、研磨後の研磨対象物Ｓと下定盤３２０との表面張力に対して研磨後の研磨対象物Ｓと上定盤３５０との表面張力が弱くなり、上定盤３５０側を向く下定盤３２０の面で研磨後の研磨対象物Ｓを回収することができる。
【００１６】
これらの研磨装置は、研磨後に上定盤側を向く下定盤側の面で研磨後の研磨対象物Ｓを回収することができるように、上定盤側を向く下定盤の面の面積と比較して下定盤側を向く上定盤の面の面積が小さくなっており、上定盤側を向く下定盤の面で研磨後の研磨対象物Ｓを回収することができる構成となっている。
また、これらの研磨装置は、下定盤側を向く上定盤の面で研磨後の研磨対象物Ｓを回収することができるようにする場合には、上定盤側を向く下定盤の面の面積と比較して下定盤側を向く上定盤の面の面積が大きくなっている。
【００１７】
また、これらの研磨装置では、研磨方式を用いて研磨対象物Ｓを研磨する前に、上定盤側を向く下定盤の面と下定盤側を向く上定盤の面とが平行となるように、上定盤と下定盤とを互いに研磨しあうように共ずりを行っているものとする。
【００１８】
ここで、共ずりを行っている状態とは、上定盤側を向く下定盤の面と下定盤側を向く上定盤の面とをスラリーを介してすり合わせる状態とする。
【先行技術文献】
【特許文献】
【００１９】
【特許文献１】特開２００８−１８８６７８号公報
【特許文献２】特開平９−１１１１２号公報
【発明の概要】
【発明が解決しようとする課題】
【００２０】
しかしながら、従来の研磨装置は、回転する下定盤に配置された研磨対象物である水晶片の両主面付近にスラリーを供給しながら、回転する上定盤を下定盤方向に移動させることにより、研磨対象物である水晶片の両主面を研磨する構成となっており、上定盤側を向く下定盤の面及び下定盤側を向く上定盤の面が円形形状となっており、上定盤側を向く下定盤の面及び下定盤側を向く上定盤の面に格子状の溝が形成されているので、研磨時に下定盤又は上定盤の縁部が欠落してしまう恐れがある。
このため、従来の研磨装置では、下定盤又は上定盤の縁部から欠落した欠片がスラリーに混在したまま研磨対象物である水晶片を研磨することとなり、欠落した欠片が研磨対象物である水晶片と接触し、研磨後に傷やチッピング等が発生し研磨対象物である水晶片の品質を低下させてしまう恐れがある。
従って、従来の研磨装置は、研磨対象物である水晶片の品質が低下してしまい生産性が低下する恐れがある。
【００２１】
また、従来の研磨装置は、下定盤の外周面の中心を回転軸に面内回転しつつ上定盤の外周面の中心を回転軸に面内回転し、第一の環状溝が円形形状の環状に複数、形成され、これらの第一の環状溝が下定盤の外周面の中心に対して同心円となるように半径を異にして形成されているので、第一の環状溝の中心が下定盤の回転軸上に位置している。
このため、従来の研磨装置によれば、研磨対象物を研磨する前に共ずりを行ったとき、下定盤が回転した場合、下定盤の回転軸と第一の環状溝の任意の一点との長さが常に一定となっており、上定盤側の下定盤の面に下定盤側を向く上定盤の面の形状が転写されてしまい、凸部が形成される。
従って、従来の研磨装置によれば、上定盤側を向く下定盤の面に凸部が形成された状態のまま研磨対象物である水晶片が研磨され、研磨後の研磨対象物である水晶片の平面度が低下し研磨対象物である水晶片の品質が低下する恐れがある。また、研磨対象物である水晶片が凸部によって破損する恐れもある。つまり、従来の研磨装置によれば、生産性が低下する恐れがある。
【００２２】
また、従来の研磨装置は、下定盤の外周面の中心を回転軸に面内回転しつつ上定盤の外周面の中心を回転軸に面内回転し、第二の環状溝が円形形状の環状に複数、形成され、これらの第二の環状溝が上定盤の外周面の中心に対して同心円となるように半径を異にして形成されているので、第二の環状溝の中心が上定盤の回転軸上に位置している。
このため、従来の研磨装置によれば、研磨対象物を研磨する前に共ずりを行ったとき、上定盤が回転した場合、上定盤の回転軸と第二の環状溝の任意の一点との長さが常に一定となっており、下定盤側の上定盤の面に上定盤側を向く下定盤の面の形状が転写されてしまい、凸部が形成される。
従って、従来の研磨装置によれば、下定盤側を向く上定盤の面に凸部が形成された状態のまま研磨対象物である水晶片が研磨され、研磨後の研磨対象物である水晶片の平面度が低下し研磨対象物である水晶片の品質が低下する恐れがある。また、研磨対象物である水晶片が凸部によって破損する恐れもある。つまり、従来の研磨装置によれば、生産性が低下する恐れがある。
【００２３】
本発明は、研磨対象物である水晶片の品質を確保しながら生産性を向上させることができる研磨装置を提供することを目的とする。
【課題を解決するための手段】
【００２４】
前記課題を解決するため、外周面の中心を回転軸として回転可能に中央に設けられ、外周面にセンターギア歯が形成されているセンターギアと、前記センターギアの先端付近の周囲付近に外周面の中心を回転軸として回転可能に設けられ、前記センターギアの外径より大きい内径を有するようにして、中央部分に形成されたセンターギア挿通貫通孔に前記センターギアの先端部分が挿通されつつ、外周面の中心が前記センターギアの回転軸上に位置するように配置されている下定盤と、
前記下定盤の周囲付近に外周面の中心を回転軸として回転可能に設けられ、前記下定盤の外径より大きい内径を有する下定盤挿通用貫通孔によって形成された内周面に、
インターナルギア歯が形成されているインターナルギアと、前記センターギアの外周面から前記インターナルギアの内周面までの長さに相当する外径を有し、かつ所望の内径を有する研磨対象物挿入用貫通孔が形成されると共に、研磨対象物の厚さより薄い厚さを有するように形成され、外周面に形成されたラッピングキャリア歯によって、前記センターギアと歯合されると共に前記インターナルギアと歯合されるようにして、前記下定盤上に配置されるラッピングキャリアと、外周面の中心を回転軸として回転可能に設けられ、
外周面の中心が前記サンギアの回転軸上に位置しつつ前記ラッピングキャリアが配置される前記下定盤の面と対向するように配置される上定盤と、を備え、前記上定盤側を向く前記下定盤の面に第一の環状溝及び第一の直線溝が形成され、前記上定盤側を向く前記下定盤の面を見た場合、前記第一の環状溝の縁部を外周とする面であって前記下定盤の外周面に近い面と前記第一の環状溝の縁部を外周とする面であって前記下定盤の外周面の中心に近い面とが同心円となり、前記第一の環状溝の縁部を外周とする面であって
前記下定盤の外周面に近い面の中心から放射状に前記第一の直線溝が形成され、前記第一の環状溝の縁部を外周とする面であって前記下定盤の外周面に近い面の中心が前記下定盤の外周面の中心と異なる位置に位置していることを特徴とする。
【００２５】
また、前記課題を解決するため、前記請求項１の研磨装置であって、前記下定盤側を向く前記上定盤の面に第二の環状溝及び第二の直線溝が形成され、前記下定盤側を向く前記上定盤の面を見た場合、前記第二の環状溝の縁部を外周とする面であって前記上定盤の外周面に近い面と前記第二の環状溝の縁部を外周とする面であって前記上定盤の外周面の中心に近い面とが同心
円となり、前記第二の環状溝の縁部を外周とする面であって前記上定盤の外周面に近い面の中心から放射状に前記第二の直線溝が形成され、前記第二の環状溝の縁部を外周とする面であって前記上定盤の外周面に近い面の中心が全上定盤の外周面の中心と異なる位置となっていることを特徴とする。
【発明の効果】
【００２６】
このような研磨装置によれば、上定盤側を向く下定盤の面に第一の直線溝と第一の環状溝とが形成され、下定盤側を向く上定盤の面に第二の直線溝と第二の環状溝とが形成されているので、従来の研磨装置と比較して上定盤側を向く下定盤の面の縁部及び下定盤側を向く上定盤の面の縁部が欠落する恐れを回避することができる。
このため、このような研磨装置によれば、従来の研磨装置のように下定盤又は上定盤の縁部から欠落した欠片が研磨対象物である水晶片を研磨することがなくなるので、研磨対象物である水晶片に接触することがなくなり、研磨対象物である水晶片の品質を向上させることができる。
従って、このような研磨装置によれば、研磨対象物である水晶片の品質が低下することなく生産性を向上させることができる。
【００２７】
また、このような研磨装置によれば、下定盤の外周面の中心を回転軸に面内回転しつつ上定盤の外周面の中心を回転軸に面内回転し、第一の環状溝が下定盤の外周面の中心と異なる点に対して同心円となるように半径を異にして形成されているので、第一の環状溝を下定盤の回転軸に対して同心円とならない位置に形成することができる。
このため、このような研磨装置によれば、研磨を行う前に上定盤と下定盤とを共ずりするとき、従来の研磨装置と比較して、上定盤側を向く下定盤の面に下定盤側を向く上定盤の面の形状が転写され凸部が形成されることを抑えることができる。
従って、このような研磨装置によれば、従来の研磨装置と比較して、研磨後の研磨対象物である水晶片の平面度を向上させることができ研磨対象物である水晶片の品質を向上させることができる。また、研磨対象物である水晶片が下定盤に転写され形成された凸部によって破損する恐れを回避することができる。
つまり、このような研磨装置によれば、生産性を向上させることができる。
【００２８】
また、このような研磨装置によれば、下定盤の外周面の中心を回転軸に面内回転しつつ上定盤の外周面の中心を回転軸に面内回転し、第二の環状溝が上定盤の外周面の中心と異なる点に対して同心円となるように半径を異にして形成されているので、第二の環状溝を上定盤の回転軸に対して同心円とならない位置に形成することができる。
このため、このような研磨装置によれば、研磨を行う前に上定盤と下定盤とを共ずりするとき、従来の研磨装置と比較して、下定盤側を向く上定盤の面に上定盤側を向く下定盤の面の形状が転写され凸部が形成されることを抑えることができる。
従って、このような研磨装置によれば、従来の研磨装置と比較して、研磨後の研磨対象物である水晶片の平面度を向上させることができ研磨対象物である水晶片の品質を向上させることができる。また、研磨対象物である水晶片が上定盤に転写され形成された凸部によって破損する恐れを回避することができる。
つまり、このような研磨装置によれば、生産性を向上させることができる。
【図面の簡単な説明】
【００２９】
【図１】本発明の実施形態に係る研磨装置の概念の一例を示す断面図である。
【図２】本発明の実施形態に係る研磨装置の下定盤の概念の一例を示す概念図である。
【図３】本発明の実施形態に係る研磨装置の上定盤の状概念の一例を示す概念図である。
【図４】従来の研磨装置の概念の一例を示す断面図である。
【図５】（ａ）は、従来の研磨装置に用いられる下定盤の概念の一例を示す概念図であり、（ｂ）は、従来の研磨装置に用いられる上定盤の概念の一例示す概念図である。
【図６】（ａ）は、従来の研磨装置に用いられる別の下定盤の概念の一例を示す概念図であり、（ｂ）は、従来の研磨装置に用いられる下定盤の概念の一例を示す概念図である。
【発明を実施するための形態】
【００３０】
次に、本発明を実施するための最良の形態について説明する。なお、各図面において各構成要素の状態を分かりやすくするために誇張して図示している。
【００３１】
まず、本発明の実施形態に係る研磨装置について説明する。
なお、研磨装置が研磨される研磨対象物の対向しあう面を同時に研磨することができる両面研磨装置を例に説明する。
【００３２】
また、本発明の実施形態に係る研磨装置は、研磨方式を用いて研磨対象物を研磨する前に、上定盤側を向く下定盤の面と下定盤側を向く上定盤の面とが平行となるように、上定盤と下定盤とを互いに研磨しあうように共ずりを行うものとして説明する。
ここで、共ずりを行っている状態とは、上定盤側を向く下定盤の面と下定盤側を向く上定盤の面とを研磨対象物を研磨するときに用いるスラリーを介してすり合わせる状態とする。
【００３３】
本発明の実施形態に係る研磨装置１００は、例えば、図１に示すように、センターギア１１０と下定盤１２０とインターナルギア１３０とラッピングキャリア１４０と上定盤１５０とから主に構成されている。
【００３４】
センターギア１１０は、両主面が円形の円柱形状となっており、本発明の実施形態に係る研磨装置１００の中央に回転可能に設けられている。
また、センターギア１１０は、外周面にセンターギア歯（図示せず）が形成され、このセンターギア歯によって外歯車として機能する。なお、センターギア１１０は、一方の主面の中心と他方の主面の中心を通過する軸を回転軸として面内回転する。言い換えると、センターギア１１０は、外周面の中心を回転軸としてこの外周面に対して面内回転する。
【００３５】
下定盤１２０は、両主面が円形の円柱形状となっており、センターギア１１０の外径より大きい内径を有するセンターギア挿通用貫通孔１２１が形成されている。
また、下定盤１２０は、センターギア１１０の一方の先端部が挿通され、センターギア１１０の周囲に設けられている。
なお、下定盤１２０は、センターギア１１０の回転軸と同一の回転軸を中心としてセンターギア１１０と同一方向に回転するように回転可能に設けられている。このとき、一方の主面の中心及び他方の主面の中心、つまり、下定盤１２０の外周面の中心Ｃ１２（図２参照）が、下定盤１２０の回転軸上に位置している。
また、下定盤１２０は、図２に示すように、一方の主面に第一の環状溝１２２及び第一の直線溝１２３が形成されている。ことのき、下定盤１２０の一方の主面は、本発明の実施形態に係る研磨装置１００において後述する上定盤１５０側を向いている。
【００３６】
第一の環状溝１２２は、例えば、図２に示すように、下定盤１２０の一方の主面に環状に形成されている。つまり、第一の環状溝１２２は、上定盤１５０側を向く下定盤１２０の面に環状に形成されている。
また、第一の環状溝１２２は、上定盤１５０側を向く下定盤１２０の面を見た場合、第一の環状溝１２２の縁部である外周面であって下定盤１２０の外周面に近い面と第一の環状溝１２２の縁部である外周面であって下定盤１２０の外周面の中心Ｃ１２に近い面とが所定の一点Ｐ１２を中心とした同心円形状となっている。つまり、第一の環状溝１２２は、円形形状の環状となっており、その幅が一定となっている。
また、第一の環状溝１２２の縁部である外周面の中心Ｐ１２が下定盤１２０の外周面の中心Ｃ１２と重ならない位置に位置しているので、第一の環状溝１２２の縁部である外周面の中心Ｐ１２が、下定盤１２０の回転軸上に位置しない構成となっている。従って、第一の環状溝１２２は、下定盤１２０の外周面の中心Ｃ１２と異なる点Ｐ１２に対して同心円となるように半径を異にして形成される。
【００３７】
このため、上定盤１５０側を向く下定盤１２０の面を見て第一の環状溝１２２の任意の一点に着目し下定盤１２０を回転させた場合、この任意の一点と下定盤１２０の回転軸との長さが一定となっていない。
従って、下定盤１２０と上定盤１５０とを共ずりするとき、上定盤１５０側を向く下定盤１２０の面に下定盤１２０側を向く上定盤１５０の面の形状が転写されにくくなり、上定盤１５０側を向く下定盤１２０の面に凸部が形成されることを防ぐことができる。
【００３８】
第一の直線溝１２３は、上定盤１５０側を向く下定盤１２０の面を見た場合、第一の環状溝１２２の縁部である外周面の中心Ｐ１２から下定盤１２０の外周面に向かう向きに形成されている。
また、第一の直線溝１２３は、複数形成されており、第一の環状溝１２２の縁部である外周面の中心Ｐ１２を基準に放射状に形成されている。
【００３９】
インターナルギア１３０は、下定盤挿通用貫通孔１３１が形成され円筒形状となっている。
また、インターナルギア１３０は、下定盤１２０の回転軸と同一の回転軸を中心として下定盤１２０と同一の方向に回転するように回転可能に設けられている。このとき、インターナルギア１３０の外周面の中心がインターナルギア１３０の回転軸上に位置している。
【００４０】
下定盤挿通用貫通孔１３１は、その内径が下定盤１２０の外径より大きくなっている。
また、下定盤挿通用貫通孔１３１は、下定盤挿通用貫通孔１３１を形成する内周面の中心が回転軸上に位置している。
【００４１】
また、インターナルギア１３０は、下定盤挿通用貫通孔１３１を形成する内周面にインターナルギア歯（図示せず）が形成され、これにより、内歯車として機能する。
【００４２】
従って、インターナルギア１３０は、インターナルギア１３０の外周面の中心がインターナルギア１３０の回転軸上に位置するように下定盤１２０の周囲付近に回転可能に設けられ、下定盤１２０の外径より大きい内径を有した下定盤挿通用貫通孔１３１によって形成された内周面に、インターナル歯が形成されている。
【００４３】
ラッピングキャリア１４０は、研磨対象物Ｓである水晶片を挿入することができる程度の内径を有する研磨対象物挿入用貫通孔１４１が形成されている。
また、ラッピングキャリア１４０は、センターギア歯及びインターナルギア歯と噛み合うようにラッピングキャリア歯（図示せず）がラッピングキャリア１４０の外周面に形成されている。
また、ラッピングキャリア１４０は、センターギア１１０と歯合させると共にインターナルギア１３０と歯合させるようにして下定盤１２０上に配置される。
【００４４】
ところで、本発明の実施形態に係る研磨装置１００は、研磨工程を実行する際、センターギア１１０とインターナルギア１３０とを異なる角速度で同一方向にそれぞれ回転させることで、ラッピングキャリア１４０が自転しつつセンターギア１１０の周囲を公転する構成となっている。
つまり、ラッピングキャリア１４０は、センターギア１１０と外歯車対となっており、インターナルギア１３０と内歯車対となっている。
【００４５】
なお、ラッピングキャリア１４０は、研磨対象物Ｓである水晶片の厚みより薄い厚さとなっており、研磨対象物Ｓである水晶片の研磨後の所望の厚さと同じ厚みとなっている。
ここで、ラッピングキャリア１４０の厚みとは、下定盤１２０に接している面からこの面に対向する面までの長さとする。また、研磨対象物Ｓである水晶片の厚みとは、研磨される研磨対象物の対向しあう面の間の長さとする。
【００４６】
従って、ラッピングキャリア１４０は、センターギア１１０の外周面からインターナルギア１３０の下定盤挿通用貫通孔１３１の縁部である外周面までの長さに相当する外径を有し、かつ、所望の内径を有する研磨対象物挿入用貫通孔１４１が形成されると共に、研磨対象物Ｓである水晶片研磨後の所望の厚さと同じ厚さを有するように形成され、外周面に形成されたラッピングキャリア歯よって。センターギア１１０と歯合されると共にインターナルギア１３０と歯合されるようにして、下定盤１２０上に配置される。
【００４７】
上定盤１５０は、両主面が円形の円柱形状となっており、センターギア１１０の外径より大きい内径を有する上定盤貫通孔１５１が形成されている。
また、上定盤１５０は、両主面がラッピングキャリア１２０に接している下定盤１２０の面と同じ大きさとなっている。
また、上定盤１５０は、センターギア１１０の他方の先端部が挿入され、センターギア１１０の周囲に設けられつつ、ラッピングキャリア１４０を挟んで下定盤１２０と対向するように設けられている。
また、上定盤１５０は、センターギア１１０の下定盤１２０の回転軸と同一の回転軸を中心として下定盤１２０の回転方向と逆方向に回転するように回転可能に設けられている。このとき、下定盤１２０側を向く上定盤１５０の面の中心、つまり、上定盤１５０の外周面の中心が上定盤１５０の回転軸上に位置している。
また、上定盤１５０は、下定盤１２０側を向く面に、後述する第二の環状溝１５２及び第二の直線溝１５３が形成されている。
【００４８】
第二の環状溝１５２は、例えば、図３に示すように、下定盤１２０側を向く上定盤１５０の面に、環状に形成されている。
また、第二の環状溝１５２は、下定盤１２０側を向く上定盤１５０の面を見た場合、第二の環状溝１５２の縁部である外周面であって上定盤１５０の外周面に近い面と第二の環状溝１５２の外周面の中心Ｃ１５に近い面とが所定の一点Ｐ１５を中心とした同心円形状となっている。つまり、第二の環状溝１５２は、円形形状の環状となっており、その幅が一定となっている。
また、第二の環状溝１５２の縁部である外周面の中心Ｐ１５が上定盤１５０の外周面の中心Ｃ１５と重ならない位置に位置しているので、第二の環状溝１５２の縁部である外周面の中心Ｐ２１が上定盤１５０の回転軸上に位置しない構成となっている。従って、第二の環状溝１５２は、上定盤１５０の外周面の中心Ｃ１５と異なる点Ｐ１５に対して同心円となるように半径を異にして形成される。
【００４９】
このため、下定盤１２０側を向く上定盤１５０の面を見て第二の環状溝１５２の任意の一点に着目した上定盤１５０を回転させた場合、この任意の点と上定盤１５０の回転軸との長さが一定となっていない。
従って、下定盤１２０と上定盤１５０とを共ずりするとき、下定盤１２０側を向く上定盤１５０の面に上定盤１５０側を向く下定盤１２０の面の形状が転写されにくくなり、下定盤１２０側を向く上定盤１５０の面に凸部が形成されることを防ぐことができる。
【００５０】
第二の直線溝１５３は、下定盤１２０側を向く上定盤１５０の面を見た場合、第二の環状溝１５２の縁部である外周面の中心Ｐ１５から上定盤１５０の外周面に向かう向きに形成されている。
また、第二の直線溝１５３は、複数形成されており、第二の環状溝１５２の縁部である外周面の中心Ｐ１５を基準に放射状に形成されている。
【００５１】
本発明の実施形態に係る研磨装置１００には、特に図示しないが、回転する下定盤１２０上に遊離砥粒及び水を含む混合液であるスラリーを供給することができる構成となっている。
【００５２】
また、本発明の実施形態に係る研磨装置１００には、特に図示しないが、センターギア１１０とインターナルギア１３０と下定盤１２０とを独立して回転させる駆動手段を備えている。
【００５３】
従って、本発明の実施形態に係る研磨装置１００は、研磨対象物Ｓである水晶片の両主面付近に遊離砥粒及び水を含む混合液であるスラリーを供給しながら、回転する上定盤１５０を下定盤１２０方向に移動させることにより、研磨対象物Ｓである水晶片の両主面を研磨する構成となっている。
このとき、センターギア１１０とインターナルギア１３０とを異なる角速度で同一の方向にそれぞれ回転しており、下定盤１２０の回転方向と上定盤１５０の回転方向とが逆となっている。
【００５４】
このような本発明の実施形態に係る研磨装置１００によれば、上定盤１２０側を向く下定盤１２０の面に第一の直線溝１２３と第一の環状溝１２２とが形成され、下定盤１５０側を向く上定盤１５０の面に第二の直線溝１５３と第二の環状溝１５２とが形成されているので、従来の研磨装置と比較して上定盤１５０側を向く下定盤１２０の面の縁部及び下定盤１２０側を向く上定盤１５０の面の縁部が欠落する恐れを回避することができる。
このため、このような本発明の実施形態に係る研磨装置１００によれば、従来の研磨装置のように下定盤又は上定盤から欠落した欠片が研磨対象物Ｓである水晶片を研磨することがなくなるので、研磨対象物Ｓである水晶片に接触することがなくなり、研磨対象物Ｓである水晶片の品質を向上させることができる。
従って、このような本発明の実施形態に係る研磨装置１００によれば、研磨対象物Ｓである水晶片の品質が低下することなく生産性を向上させることができる。
【００５５】
また、このような本発明の実施形態に係る研磨装置１００によれば、下定盤１２０の外周面の中心Ｃ１２を回転軸に面内回転しつつ上定盤１５０の外周面の中心Ｃ１５を回転軸に面内回転し、第一の環状溝１２２が下定盤１２０の外周面の中心Ｃ１２と異なる点に対して同心円となるように半径を異にして形成されているので、第一の環状溝１２２を下定盤１２０の回転軸に対して同心円とならない位置に形成することができる。
このため、このような本発明の実施形態に係る研磨装置１００によれば、研磨を行う前に上定盤１２０と下定盤１５０とを共ずりするとき、従来の研磨装置と比較して、上定盤１５０側を向く下定盤１２０の面に下定盤１２０側を向く上定盤１５０の面の形状が転写され凸部が形成されることを抑えることができる。
従って、このような本発明に係る研磨装置１００によれば、従来の研磨装置と比較して、研磨後の研磨対象物Ｓである水晶片の平面度を向上させることができ研磨対象物Ｓである水晶片の品質を向上させることができる。また、研磨対象物でＳある水晶片が下定盤に転写され形成された凸部によって破損する恐れを回避することができる。
つまり、このような研磨装置によれば、生産性を向上させることができる。
【００５６】
また、このような本発明の実施形態に係る研磨装置１００によれば、下定盤１２０の外周面の中心Ｃ１２を回転軸に面内回転しつつ上定盤１５０の外周面の中心Ｃ１５を回転軸に面内回転し、第二の環状溝１５２が上定盤１５０の外周面の中心Ｃ１５と異なる点に対して同心円となるように半径を異にして形成されているので、第二の環状溝１５２を上定盤１５０の回転軸に対して同心円とならない位置に形成することができる。
このため、このような本発明の実施形態に係る研磨装置１００によれば、研磨を行う前に上定盤１５０と下定盤１２０とを共ずりするとき、従来の研磨装置と比較して、下定盤１２０側を向く上定盤１５０の面に上定盤１５０側を向く下定盤１２０の面の形状が転写され凸部が形成されることを抑えることができる。
従って、このような本発明に係る研磨装置１００によれば、従来の研磨装置と比較して、研磨後の研磨対象物Ｓである水晶片の平面度を向上させることができ研磨対象物Ｓである水晶片の品質を向上させることができる。
また、研磨対象物Ｓである水晶片が凸によって破損する恐れを回避することができる。
つまり、このような本発明の実施形態に係る研磨装置１００によれば、生産性を向上させることができる。
【００５７】
また、本発明の実施形態に係る研磨装置１００によれば、第一の環状溝１２２の縁部を外周とする面が所定の一点Ｐ１２を中心に同心円形状に形成され、この所定の一点Ｐ１２が下定盤１２０の回転軸上に位置していないので、従来の形成方法をそのまま用いて第一の環状溝１２２を容易に形成することができる。
【００５８】
また、本発明の実施形態に係る研磨装置１００によれば、第二の環状溝１５２の縁部を外周とする面が所定の一点Ｐ１５を中心に同心円形状に形成され、この所定の一点Ｐ１５が上定盤１５０の回転軸上に位置していないので、従来の形成方法をそのまま用いて第二の環状溝１５２を容易に形成することができる。
【００５９】
なお、第一の環状溝及び第一の直線溝が形成されていない上定盤側を向く下定盤の面の面積と第二の環状溝及び第二の直線溝が形成されていない下定盤側を向く上定盤の面の面積とを比較した場合、第一の環状溝及び第一の直線溝が形成されていない上定盤側を向く下定盤の面の面積の方が大きい場合について説明したが、例えば、第二の環状溝及び第二の直線溝が形成されていない下定盤側を向く上定盤の面の面積が大きくてもよい。このとき、研磨後の研磨対象物が下定盤側を向く上定盤の面で回収される。
【００６０】
また、下定盤と上定盤とで研磨対象物である水晶片を同時に研磨する両面研磨装置の場合で説明したが、例えば、研磨対象物である水晶片の下定盤側を向く面のみを研磨する片面研磨装置であってもよい。
【００６１】
また、第一の環状溝の縁部である外周面の中心が下定盤の回転軸上に位置せず、かつ、第二の環状溝の縁部である外周面の中心が上定盤の回転軸上に位置していない場合について説明しているが、第一の環状溝の縁部である外周面の中心が下定盤の回転軸上に位置していなければ、例えば、第二の環状溝の縁部である外周面の中心が上定盤の回転軸上に位置していてもよい。
【００６２】
また、第一の環状溝の縁部である外周面の中心が下定盤の回転軸上に位置せず、かつ、第二の環状溝の縁部である外周面の中心が上定盤の回転軸上に位置していない場合について説明しているが、第二の環状溝の縁部である外周面の中心が上定盤の回転軸上に位置していなければ、例えば、第一の環状溝の縁部である外周面の中心が下定盤の回転軸上に位置していてもよい。
【符号の説明】
【００６３】
１００，２００  研磨装置
１１０，２１０  センターギア
１２０，２２０，３２０  下定盤
１２１，２２１，３２１  センターギア挿通用貫通孔
１２２，３２２  第一の環状溝
１２３，３２３  第一の直線溝
１３０，２３０  インターナルギア
１３１，２３１  下定盤挿通用貫通孔
１４０，２４０  ラッピングキャリア
１４１，２４１  研磨対象物挿通用貫通孔
１５０，２５０，３５０  上定盤
１５１，２５１，３５１  上定盤貫通孔
１５２，３５２  第二の環状溝
１５３，３５３  第二の直線溝
Ｓ  研磨対象物
Ｃ１２，Ｃ３２  下定盤の外周面の中心
Ｃ１５，Ｃ３５  上定盤の外周面の中心
Ｐ１２  第一の環状溝の縁部である外周面の中心
Ｐ１５  第二の環状溝の縁部である外周面の中心
【図１】
2012183618.tif 000003
【図２】
2012183618.tif 000004
【図３】
2012183618.tif 000005
【図４】
2012183618.tif 000006
【図５】
2012183618.tif 000007
【図６】
2012183618.tif 000008